(57)【特許請求の範囲】
【請求項１】
前後に掘起こし刃１ａと葉部切断刃１ｂを有して根葉類の葉部を挟持搬送することができる機体の前後方向に傾斜した掘取り搬送体２と、該掘取り搬送体２の傾斜上位側の下方から機体の横側方へ延出してその近傍の第１補助者Ｍ２がクラッチ操作できる選別コンベア３と、該選別コンベア３の終端側に接近させておいてその近傍の第２補助者Ｍ３がコンテナ詰めするコンテナ４とを装備し、オペレータＭ１が主変速レバー５を操作して機体を前進させながら根葉類を収穫する根葉類収穫機において、前記選別コンベア３のクラッチ操作用クラッチレバー６をオフに操作すると前記主変速レバー５が前進の高速位置Ｆ２から低速位置Ｆ１に自動的に変速されるよう、クラッチレバー６と主変速レバー５を連動連携して構成したことを特徴とする走行自動変速装置。
【発明の詳細な説明】
【０００１】
【産業上の利用説明】
本発明は、人参等の根葉類を掘取ってからコンテナ詰めまでを行うことができる根葉類の走行自動変速装置に関する。
【０００２】
【従来の技術】
従来、本出願人が既に出願した特願平７−７９０３８号にも見られるように前後に掘起し刃を葉部切断刃を有して根葉類の葉部を挾持搬送することができる機体の前後方向に傾斜した掘取り搬送体と、該掘取り搬送体の傾斜上位側の下方から機体の横側方へ延出してその近傍の第１補助者がクラッチ操作できる選別コンベアと、該選別コンベアの終端側に接近させておいてその近傍の第２補助者がコンテナ詰めをするコンテナとを装備し、オペレータが主変速レバーを操作して機体を前進させながら根葉類を収穫する根葉類収穫機において、第２補助者によるコンテナ詰めやコンテナ交換の作業は、その近くで選別作業を行っている第１補助者がクラッチをオフに操作して選別コンベアを一時停止させてから行われるようになっていた。
【０００３】
【発明が解決しようとする課題】
しかしながら、作業をしながらのコンテナ交換のため、機体の作業速度を遅くしないかぎり、掘取り搬送体から供給される根葉類が選別コンベア上に溜まりすぎたり詰まったりしてトラブルが発生することになって、作業性も悪く、また、作業中にオペレータに作業速度を遅くするようにいちいち連絡するのを忙しさが故にできずじないになったり、騒音により口頭伝達がかき消されてしまって、前記のような不都合が生じている、といった不具合を呈している。
【０００４】
【課題を解決するための手段】
本発明は、そのような不具合を解決し、根葉類収穫の作業性を向上させることができるよう機体の走行を有効に自動変速可能とするものであり、そのため、前後に掘起こし刃１ａと葉部切断刃１ｂを有して根葉類の葉部を挟持搬送することができる機体の前後方向に傾斜した掘取り搬送体２と、該掘取り搬送体２の傾斜上位側の下方から機体の横側方へ延出してその近傍の第１補助者Ｍ２がクラッチ操作できる選別コンベア３と、該選別コンベア３の終端側に接近させておいてその近傍の第２補助者Ｍ３がコンテナ詰めするコンテナ４とを装備し、オペレータＭ１が主変速レバー５を操作して機体を前進させながら根葉類を収穫する根葉類収穫機において、前記選別コンベア３のクラッチ操作用クラッチレバー６をオフに操作すると前記主変速レバー５が前進の高速位置Ｆ２から低速位置Ｆ１に自動的に変速されるよう、クラッチレバー６と主変速レバー５を連動連携して構成したものである。
【０００５】
【作用】
したがって、掘取られてから葉部を切断された根葉類が選別コンベア上を搬送される際に、第１補助者が根葉類の選別作業を行い、その選別コンベアの終端部から繰り出される根葉類のコンテナ詰め作業を第２補助者が行うとともに、そのコンテナが満杯になると第２補助者がコンテナ交換を行うことになるが、コンテナ交換時に、選別コンベアよりコンテナへの繰り出したを停止させるため、第１補助者がクラッチレバーを操作して選別コンベアのクラッチをオフに操作すると、オベレータによって操作されることになっている機体走行用の主変速レバーが機体の作業速度より低速となる前進の低速位置に自動的に変速操作されることになって、機体の作業速度が低速となり、そのため、第２補助者によるコンテナ交換も作業性良く行うことができるとともに、選別コンベアは停止して従来のような根葉類が溜まったり、詰まることなく、しかも第１補助者による選別作業も続けて良好に行えることになる。
【０００６】
【実施例】
図１は人参等の根葉類収穫機を概略示した平面図であり、下部に両クローラを有する機台７上には、前端部に掘起し刃１ａを有するとともに後部側下方に葉部切断刃１ｂを有して根葉類の葉部を挾持搬送することができる掘取り搬送体２を左側に前低後高に斜設し、前記掘起し刃１ａは油圧シリンダ８により昇降可能にし、前記掘取り搬送体２の傾斜上位側の下方から機体の右横側方へ延出する選別コンベア３の後方には、機台７上に乗る第１補助者がＭ２が選別コンベア３のクラッチ操作を行うことができるクラッチレバー６を装備し、前記掘取り搬送体２の終端側下方には葉部を受け入れることができるコンテナ９を搭載し、また、前記選別コンベア３の終端側下方となる機台７の右側上方には、地面上の第２補助者Ｍ３がコンテナ詰めとコンテナ交換の作業を行うことになるコンテナ４を搭載できるようにして構成する。
【０００７】
前記機台７の右側前部にはオペレータＭ１が座るシート１０と操縦コラム１１を配備し、該操縦コラム１１の一部には、前進の高速位置Ｆ２から低速位置Ｆ１、中立位置Ｎ、後進位置Ｒに操作することができる主変速レバー５を装備し、該主変速レバー５には、電磁ソレノイド１２より伸縮する吸着杆１２ａの先端部から突設したフック１３を係合し、前記クラッチレバー６をオフに操作すると該クラッチレバー６がマイクロスイッチ１４に当接してオンにさせることができるように設け、マイクロスイッチ１４がオンすると、電磁ソレノイド１２がオンして、吸着杆１２ａが吸着されながらフック１３係合により、主変速レバー５が高速位置Ｆ２から低速位置Ｆ１に自動的に変速操作されるようにして構成する。
【０００８】
なお、前記電磁ソレノイドに代えて、モータとねじ装置やシリンダーなどのアクチュエータを採用することもできる。
【０００９】
したがって、図２に示すよう、主変速レバー５が高速位置Ｆ２に入れられるとともに、クラッチレバー６がクラッチオンに操作されると、図１に示すように、機体が矢印イ方向へ作業速度で前進し、掘起し刃１ａにより掘取られて矢印ロで示すように搬送される根葉類の葉部が葉部切断刃１ｂにより切断されると、そのままコンテナ９に落入し、掘取り搬送体２の後部より落下して選別コンベア３により矢印ハ方向へ搬送される根葉類を第１補助者Ｍ２が選別し、選別コンベア３から矢印ニで示すように繰り出される根葉類のコンテナ詰め作業を第２補助者Ｍ３が行うとともに、そのコンテナ４が満杯になると第２補助者Ｍ３がコンテナ４を矢印ホで示すように移動させたりしてコンテナ交換を行いながら、根葉類の収穫作業を行うことになる。
【００１０】
そのコンテナ交換時に、図３に示すように、選別コンベア３よりコンテナ４への繰り出しを停止させるため第１補助者Ｍ２がクラッチレバー６をオフにして選別コンベア３を停止させると、マイクロスイッチ１４のオンにより電磁ソレノイド１２が励磁されて吸着杆１２ａが吸着されながらフック１３により主変速レバー６を低速位置Ｆ１に移動させることになって、機体の作業速度が自動的に低速となり、そのため、第２補助者Ｍ３によるコンテナ交換も作業性良く安全に行うことができるとともに、選別コンベア３は停止して従来のように根葉類が溜まったり詰まることなくしかも第１補助者Ｍ２による選別作業も続けて良好に行えることになる。
【００１１】
【発明の効果】
このように本発明は、掘取られてから葉部を切断された根葉類が選別コンベア３上を搬送される際に、第１補助者Ｍ２が根葉類の選別作業を行い、その選別コンベア３の終端部から繰り出される根葉類のコンテナ詰め作業を第２補助者Ｍ３が行うとともに、そのコンテナ４が満杯になると第２補助者Ｍ３がコンテナ交換を行うことになるが、そのコンテナ交換時に、選別コンベア３よりコンテナ４への繰り出しを停止させるため、第１補助者Ｍ２がクラッチレバー６を操作して選別コンベア３のクラッチをオフに操作すると、オペレータＭ１によって操作されることになっている機体走行用の主変速レバー５が、機体の作業速度より低速となる前進の低速位置Ｆ１に自動的に変速操作されることになって、機体の作業速度が低速となり、そのため、第２補助者Ｍ３によるコンテナ交換も作業性良く安全に行うことができることになる。
【００１２】
また、機体の作業速度を自動的に低速にさせながら選別コンベア３は停止して従来のように根葉類が溜まったり詰まることなく、しかも第１補助者Ｍ２による選別作業も続けて良好に行えることになって好適に実施できる特長を有する。
【図面の簡単な説明】
【図１】根葉類収穫機を概略示した平面図である。
【図２】図１の一部を拡大して示した平面図である。
【図３】図２の作動状態を示した作動説明図である。
【符号の説明】
１ａ  掘起し刃
１ｂ  葉部切断刃
２    掘取り搬送体
Ｍ１  オペレータ
Ｍ２  第１補助者
Ｍ３  第２補助者
３    選別コンベア
４    コンテナ
５    主変速レバー
６    クラッチレバー
Ｆ１  低速位置
【図１】
0003578835.tif 000002
【図２】
0003578835.tif 000003
【図３】
0003578835.tif 000004